(57)【特許請求の範囲】
【請求項１】
所定間隔で突出する複数の突出磁極(2)を有する輪状ステータ(1)と、前記輪状ステータ(1)の両面に一体又は別体にて設けられた輪状絶縁カバー(3)と、前記輪状絶縁カバー(3)に一体に設けられ半径方向に沿って突出する端子ピン保持部(5)と、前記各突出磁極(2)に前記輪状絶縁カバー(3)を介して巻回されたステータ巻線(4)と、前記端子ピン保持部(5)の外縁位置に設けられ前記ステータ巻線(4)の端線(8)をからげるための複数の端子ピン(6)と、前記各端子ピン(6)の内側位置に設けられ前記端線(8)にたるみ(8a)を形成するためのたるみ取りピンを設けるための複数のたるみ取りピン用ホール(7)と、前記たるみ取りピン用ホール(7)と前記突出磁極(2)との間で前記端子ピン保持部(5)に形成された複数の端線固定用突起(20)と、を備え、
前記突出磁極(2)から前記たるみ取りピン用ホール(7)を経て前記端子ピン(6)にからげられた前記端線(8)の一部をなすたるみ(8a)がワニス含浸剤を介して前記端線固定用突起(20)に固定されているレゾルバの浮線防止構造において、前記たるみ取りピン用ホール(7)の数は前記端子ピン(6)の数より少なく、前記端線固定用突起(20)の数は前記端子ピン(6)の数より多く、
前記たるみ取りピン用ホール(7)の周囲には、軸方向に突出する輪状係合突部(7a)が形成され、個々の前記輪状係合突部(7a)に複数の端線(8)が係合し、前記各たるみ(8a)は各々複数の前記端線固定用突起(20)に固定されていることを特徴とするレゾルバの浮線防止構造。
【発明の詳細な説明】
【技術分野】
【０００１】
本発明は、レゾルバの浮線防止構造に関し、特に、端子ピン保持部に設けた端線固定用突起に端線のたるみをワニス含浸剤によって固定することにより、浮線の発生を防止するための新規な改良に関する。
【背景技術】
【０００２】
従来、用いられていたこの種のレゾルバの端線処理構造としては、例えば、特許文献１の明細書及び図面に記載されている構成を図３及び図４に開示することができる。
すなわち、図３及び図４において符号１で示されるものは全体形状が輪状に形成された輪状ステータであり、この輪状ステータ１の内周面には内方へ向けて突出する複数の突出磁極２が所定角度間隔で形成されている。
【０００３】
前記輪状ステータ１の両面には、前記輪状ステータ１の一部を露出させた状態で覆うためのインサート成形による一体成形又は別体による嵌め合わせの何れかにより形成された輪状絶縁カバー３が設けられている。
【０００４】
前記各突出磁極２には、前記輪状絶縁カバー３を介してステータ巻線４が巻回されており、前記輪状絶縁カバー３の一部から半径方向に沿って突出して端子ピン保持部５が形成されている。
【０００５】
前記端子ピン保持部５の最も外側の外縁位置５Ａには、複数の端子ピン６が設けられており、前記端子ピン保持部５上における前記各端子ピン６と前記突出磁極２との間には、複数のたるみ取りピン用ホール７が形成されている。
【０００６】
前述の構成において、前記各突出磁極２に巻回された端線８は、前記たるみ取りピン用ホール７に植設されたたるみ取り用ピン（図示せず）の周囲に係合した後に、前記端子ピン６にからげられ、その後、前記たるみ取り用ピン（図示せず）が除去されている。
【０００７】
前述のように、端線８が各端子ピン６にからげられた後に、前記たるみ取り用ピン（図示せず）を除去した後は、端線８が前記たるみ取りピン用ホール７の輪状係合突部７ａの外周に係合すると共に、この端線８にはたるみ８ａすなわち浮線８ｂが形成される。
【０００８】
【特許文献１】米国特許第６０４４５４５号明細書
【発明の開示】
【発明が解決しようとする課題】
【０００９】
従来のレゾルバの端線処理構造は、以上のように構成されていたため、次のような課題が存在していた。
すなわち、各磁極に巻回されたステータ巻線の端線は、たるみ取りピンを経て端子ピンにからげられるため、このたるみ取りピンを除去した後は、端線がたるみ取りピン用ホールの輪状係合突部と突出磁極との間でたるみ８ａが形成されると共に、このたるみ８ａが端子ピン保持部５の面５ａから上方に距離をおいて浮線８ｂとなるため、この浮線８ｂをなくすために、一度のワニス含浸剤の塗布では済まず、再度の塗布を必要とし、量産時における大きい障害となっていた。
【課題を解決するための手段】
【００１０】
本発明によるレゾルバの浮線防止構造は、所定間隔で突出する複数の突出磁極を有する輪状ステータと、前記輪状ステータの両面に一体又は別体にて設けられた輪状絶縁カバーと、前記輪状絶縁カバーに一体に設けられ半径方向に沿って突出する端子ピン保持部と、前記各突出磁極に前記輪状絶縁カバーを介して巻回されたステータ巻線と、前記端子ピン保持部の外縁位置に設けられ前記ステータ巻線の端線をからげるための複数の端子ピンと、前記各端子ピンの内側位置に設けられ前記端線にたるみを形成するためのたるみ取りピンを設けるための複数のたるみ取りピン用ホールと、前記たるみ取りピン用ホールと前記突出磁極との間で前記端子ピン保持部に形成された複数の端線固定用突起と、を備え、前記突出磁極から前記たるみ取りピン用ホールを経て前記端子ピンにからげられた前記端線の一部をなすたるみがワニス含浸剤を介して前記端線固定用突起に固定されているレゾルバの浮線防止構造において、前記たるみ取りピン用ホールの数は前記端子ピンの数より少なく、前記端線固定用突起の数は前記端子ピンの数より多く、前記たるみ取りピン用ホールの周囲には、軸方向に突出する輪状係合突部が形成され、個々の前記輪状係合突部に複数の端線が係合し、前記各たるみは各々複数の前記端線固定用突起に固定されている構成である。
【発明の効果】
【００１１】
本発明によるレゾルバの浮線防止構造は、以上のように構成されているため、次のような効果を得ることができる。
すなわち、所定間隔で突出する複数の突出磁極を有する輪状ステータと、前記輪状ステータの両面に一体又は別体にて設けられた輪状絶縁カバーと、前記輪状絶縁カバーに一体に設けられ半径方向に沿って突出する端子ピン保持部と、前記各突出磁極に前記輪状絶縁カバーを介して巻回されたステータ巻線と、前記端子ピン保持部の外縁位置に設けられ前記ステータ巻線の端線をからげるための複数の端子ピンと、前記各端子ピンの内側位置に設けられ前記端線にたるみを形成するためのたるみ取りピンを設けるためのたるみ取りピン用ホールと、前記たるみ取りピン用ホールと前記突出磁極との間で前記端子ピン保持部に形成された複数の端線固定用突起と、を備え、前記突出磁極から前記たるみ取りピン用ホールを経て前記端子ピンにからげられた前記端線の一部をなすたるみがワニス含浸剤を介して前記端線固定用突起に固定され、前記たるみ取りピン用ホールの数は前記端子ピンの数より少なく、前記端線固定用突起の数は前記端子ピンの数より多いことにより、たるみの浮線が端線固定用突起に接すると共に、ワニス含浸剤で簡単に固定することができ、浮線の発生を防止し、信頼性を向上することができる。さらに、前記たるみ取りピン用ホールの周囲には、軸方向に突出する輪状係合突部が形成され、前記端線は前記輪状係合突部に係合していることにより、端線のたるみを防止することに大きく寄与することができる。
【発明を実施するための最良の形態】
【００１２】
本発明は、端子ピン保持部に設けた端線固定用突起に端線のたるみをワニス含浸剤によって固定することにより、浮線の発生を防止するようにしたレゾルバの浮線防止構造を提供することを目的とする。
【実施例】
【００１３】
以下、図面と共に本発明によるレゾルバの浮線防止構造の好適な実施の形態について説明する。
尚、従来例と同一又は同等部分には同一符号を用いて説明する。
図１及び図２において符号１で示されるものは全体形状が輪状に形成された輪状ステータであり、この輪状ステータ１の内周面には内方へ向けて突出する複数の突出磁極２が所定角度間隔で形成されている。
【００１４】
前記輪状ステータ１の両面には、前記輪状ステータ１の一部を露出させた状態で覆うためのインサート成形による一体成形又は別体による嵌め合わせの何れかにより形成された輪状絶縁カバー３が設けられている。
【００１５】
前記各突出磁極２には、前記輪状絶縁カバー３を介してステータ巻線４が巻回されており、前記輪状絶縁カバー３の一部から半径方向に沿って突出して端子ピン保持部５が形成されている。
【００１６】
前記端子ピン保持部５の最も外側の外縁位置５Ａには、複数の端子ピン６が設けられており、前記端子ピン保持部５上における前記各端子ピン６と前記突出磁極２との間には、複数のたるみ取りピン用ホール７が形成されている。
【００１７】
前記各たるみ取りピン用ホール７と前記突出磁極２との間には、前記端子ピン保持部５の面５ａ上において複数の端線固定用突起２０が形成されており、各端線固定用突起２０は前記面５ａから軸方向に沿って所定の高さとなるように構成されている。
【００１８】
前述の構成において、前記各突出磁極２に巻回された端線８は、前記たるみ取りピン用ホール７に植設されたたるみ取り用ピン（図示せず）の周囲の輪状係合突部７ａに係合した後に、前記端子ピン６にからげられ、その後、前記たるみ取り用ピン（図示せず）が除去される。
【００１９】
前述の場合、各突出磁極２と前記たるみ取りピン用ホール７の周囲で軸方向に突出する輪状係合突部７ａとの間の端線８の各たるみ８ａは、各々複数の前記端線固定用突起２０に接すると共に、図示しないワニス含浸剤の塗布により、このワニス含浸剤によって従来浮線８ｂとなっていた前記たるみ８ａは前記端線固定用突起２０に固定される。また、個々の前記輪状係合突部７ａに複数の端線８が係合している。
従って、前記たるみ取りピン用ホール７の輪状係合突部７ａと前記突出磁極２との間の従来の浮線８ｂである前記各たるみ８ａは、複数の前記端線固定用突起２０に固定されることにより、たるみ８ａは安定的に固定される。
尚、図１及び図２から明らかなように、前記たるみ取りピン用ホール７の数は前記端子ピン６の数より少なく、前記端線固定用突起２０の数は前記端子ピン６の数より多く配設されている。
【図面の簡単な説明】
【００２０】
【図１】本発明によるレゾルバの浮線防止構造を示す平面図である。
【図２】図１の斜視図である。
【図３】従来構成の平面図である。
【図４】図３の斜視図である。
【符号の説明】
【００２１】
１    輪状ステータ
２    突出磁極
３    輪状絶縁カバー
４    ステータ巻線
５    端子ピン保持部
６    端子ピン
５Ａ    外縁位置
７    たるみ取りピン用ホール
８    端線
８ａ    たるみ
８ｂ    浮線
７ａ    輪状係合突部
２０    端線固定用突起
【図１】
0005396594.tif 000002
【図２】
0005396594.tif 000003
【図３】
0005396594.tif 000004
【図４】
0005396594.tif 000005